(57)【要約】  分析のための生物学的サンプルの調製方法であって、a)二次元支持体上に生物学的サンプルを配置する工程；b)所定の第一の時間Z1で第一の温度T1で、生物学的サンプル及び支持体に、タンパク質を沈降するまたは変性する第一の溶液L1を適用する工程；c)タンパク質を沈降するまたは変性する溶液L1を維持し、若しくは更にタンパク質を沈降するまたは変性する溶液L1を適用し、または所定の第二の時間Z2で第二の温度T2で、生物学的サンプル及び支持体に、タンパク質を沈降するまたは変性する第二の溶液L2を適用する工程であって、ただしT2はT1より低く、Z2はZ1より長い、等しい、または短い工程；及びd)サンプルを乾燥する工程；を含む方法。
2005515471.tif 000002
【特許請求の範囲】
【請求項１】
分析のための生物学的サンプルの調製方法であって、
a)二次元支持体上に生物学的サンプルを配置する工程；
b)所定の第一の時間Z1で第一の温度T1で、生物学的サンプル及び支持体に、タンパク質を沈降するまたは変性する第一の溶液L1を適用する工程；
c)タンパク質を沈降するまたは変性する溶液L1を維持し、若しくは更にタンパク質を沈降するまたは変性する溶液L1を適用し、または所定の第二の時間Z2で第二の温度T2で、生物学的サンプル及び支持体に、タンパク質を沈降するまたは変性する第二の溶液L2を適用する工程であって、ただしT2はT1より低く、Z2はZ1より長い、等しい、または短い工程；及び
d)サンプルを乾燥する工程；
を含む方法。
【請求項２】
サンプルの乾燥が、反応工程a1)として反応工程a)とb)の間で生じ、及び／または反応工程b1)として反応工程b)とc)の間で生じることを特徴とする、請求項1に記載の方法。
【請求項３】
サンプルの乾燥が、風乾または真空乾燥によって生じ得ることを特徴とする、請求項２に記載の方法。
【請求項４】
反応工程b)またはb1)の後の反応工程b2)として、サンプルが凍結されることを特徴とする、請求項１から３のいずれか一項に記載の方法。
【請求項５】
生物学的サンプルが、細胞または組織サンプル、あるいはタンパク質または核酸の混合物、あるいはタンパク質及び／または炭水化物及び／または脂肪及び／または核酸を含む巨大分子の混合物であることを特徴とする、請求項１から４のいずれか一項に記載の方法。
【請求項６】
溶液L1及び／またはL2が、有機溶媒及び／または臨界的pH値を有する溶液および／または臨界的イオン濃度を有する溶液及び／または塩溶液及び／または金属イオンを含む溶液であることを特徴とする、請求項１から５のいずれか一項に記載の方法。
【請求項７】
有機溶媒が、メタノール及び／またはエタノール及び／またはブタノール及び／またはアセトンであることを特徴とする、請求項６に記載の方法。
【請求項８】
塩溶液が、ピクリン酸及び／またはガロタン酸及び／またはタングステン酸及び／またはモリブデン酸及び／またはトリクロロ酢酸及び／または過塩素酸及び／またはスルホサリチル酸の溶解塩であることを特徴とする、請求項６に記載の方法。
【請求項９】
T1が−10℃から60℃の温度範囲をカバーすることを特徴とする、請求項１から８のいずれか一項に記載の方法。
【請求項１０】
反応工程d)の後、生物学的サンプルが、タンパク質及び／または核酸測定方法、及び／またはタンパク質化学的分離方法、及び／または細胞構造のin situ分析のための方法にかけられることを特徴とする、請求項１から９のいずれか一項に記載の方法。
【請求項１１】
請求項１から１０のいずれか一項に記載の分析のための生物学的サンプルの調製方法を実施するための装置であって、支持体(24)に適用されるサンプル(類)を受け入れるための少なくとも一つのチェンバー(12,20)、及びチェンバー(12,20)内部の温度を制御し調節するための少なくとも一つの温度制御器(14',14")を使用することを特徴とする装置。
【請求項１２】
チェンバー(12)が、フタ(36)によって閉ざすことができることを特徴とする、請求項１１に記載の装置。
【請求項１３】
チェンバー(12,20)内部に真空を生産するための、少なくとも一つの真空ポンプ(16)を使用することを特徴とする、請求項１１または１２に記載の装置。
【請求項１４】
チェンバー(12,20)の内部に、少なくとも一つの分離壁部(18)が配置されていることを特徴とする、請求項１１、１２または１３に記載の装置。
【請求項１５】
分離壁部(18)が、手動的または自動的に移動またはシフトできることを特徴とする、請求項１４に記載の装置。
【請求項１６】
幾つかのチェンバー(1、2、3...、n)が連続して互いの背後に整列していることを特徴とする、請求項１１から１５のいずれか一項に記載の装置。
【請求項１７】
幾つかのチェンバー(12,20)が互いの上方に整列していることを特徴とする、請求項１１から１５のいずれか一項に記載の装置。
【請求項１８】
幾つかの支持体(24)が、一つまたは幾つかのサンプルスライド(26)上に整列していることを特徴とする、請求項１１から１７のいずれか一項に記載の装置。
【請求項１９】
個々の反応工程が、装置(10)によって、手動的、半自動的、または自動的に実施され制御されることを特徴とする、請求項１１から１８のいずれか一項に記載の装置。
【発明の詳細な説明】
【技術分野】
【０００１】
本発明は、分析のための生物学的サンプルの調製方法、及び分析のための生物学的サンプルの調製方法を実施するための装置に関する。
【背景技術】
【０００２】
ヒトゲノム及び多種の完全な配列決定以降、所定の細胞または組織サンプル中のタンパク質の定性的及び定量的分析は、研究及び産業においてますます重要性を帯びてきている。
【０００３】
タンパク質化学的分析に関しては、最近の、ラージスケールプロテオミクス法が有名である。これらの方法は、所定の細胞または組織サンプルの破壊、各種の試薬を使用するタンパク質の抽出と変性、及び例えば二次元ゲル電気泳動法といったものを使用する個々のタンパク質の分離に基づいている。十分な量とサイズで元のタンパク質混合物中に存在し、適当な移動能力を有する各々の個々のタンパク質は、サイズと正味の荷電に従って、特徴的な位置でブロットとしてこれらのゲル内で存在を示す。プロテオーム研究として知られているものの実際の作業では、数千までのタンパク質を、この方法でサンプルから分離できる。各種の状態の組織の比較に基づいて、適切なソフトウェアを使用して個々のゲルの、位置を正確に表す重ね合わせの方法でタンパク質発現の差異を示すことが理論的に可能である。特に、この方法において、位置の比較によって、新たに発現されたタンパク質と、もはや発現されていない若しくは過剰発現されたタンパク質を同定することが可能であるはずである。
【０００４】
しかしながら、毎日の実際の分析作業では、この目的に関して有意な制限が存在する。例えば、既知の分析方法は、自動化が存在しないため、個々の分析工程において有意な非迅速性が存在するので、制限された再生産性のみを示す。例えば、個々のタンパク質の位置に関して言えば、数パーセントまでの偏差が生じる。このタンパク質の相対量に関して言えば、２０パーセントまでの偏差が生じる。
【０００５】
既知の方法を技術的に実施する困難性とは別に、不十分であるそのダイナミズム、即ち非常の稀なタンパク質が、多量に存在するタンパク質の陰に隠れて示すことができないという問題が存する。これらの制限は、例えば個々のタンパク質の再生産可能な位置に依存する適切なソフトウェアを使用して、大量のゲルを自動化法で比較することを不可能とする。個々のタンパク質ブロットの位置は、互いからわずかに偏差を有し、比較可能な分析の不特定性を増大する。しかしながらプロテオーム研究は、非常に大量の細胞組織の比較に依存しており、そのため既知の方法の前述の制限は耐え難いものである。
【０００６】
機知の分析方法の偏差または不正確性及び制限された再生産性についての一つの必須の理由は、特に標準化されていないサンプル調製に存在する。
【発明の開示】
【発明が解決しようとする課題】
【０００７】
それゆえ、均質で標準化されたサンプル調製物で、適用された際に十分に自動化されたサンプル調製物を確保する、分析のための生物学的サンプルの調製方法をさらに開発して利用可能とすることが、本発明の一つの目的である。
【０００８】
さらに、分析のための生物学的サンプルの新規な調製方法を実施するための対応する装置を提供することも、本発明の目的である。
【課題を解決するための手段】
【０００９】
この目的は、請求項１の特徴を有する方法、及び請求項１１の特徴を有する装置によって達成される。
【００１０】
有利な実施態様は、従属請求項に記載されている。
【発明を実施するための最良の形態】
【００１１】
分析のための生物学的サンプルの調製のための本発明に係る方法では、以下の工程が実施される：a)二次元支持体上に生物学的サンプルを配置する工程；b)所定の第一の時間Z1で第一の温度T1で、生物学的サンプル及び支持体に、タンパク質を沈降するまたは変性する第一の溶液L1を適用する工程；c)タンパク質を沈降するまたは変性する溶液L1を維持し、若しくは更にタンパク質を沈降するまたは変性する溶液L1を適用し、または所定の第二の時間Z2で第二の温度T2で、生物学的サンプル及び支持体に、タンパク質を沈降するまたは変性する第二の溶液L2を適用する工程であって、ただしT2はT1より低く、Z2はZ1より長い、等しい、または短い工程；及びd)サンプルを乾燥する工程。サンプルを調製するための本発明に係る方法を通じて、均質で非常に標準化されたサンプルの調製が実施され、対応して均質なサンプルが作製されることが可能である。その結果、対応するコンピュータープログラムによって、分析され試験されるタンパク質を、有意に優れた態様で同定して定性分析することが可能となる。測定により、タンパク質認識のエラーの可能性は、3から4の係数まで減少することが示された。更に、自動的に同定されたタンパク質の数は、少なくとも16％まで増加する。最後に、サンプルを調製するための新規な方法は、サンプリングの完全な自動化を可能にし、それ故各種の研究の間で、定量的に比較する可能性が生じる。
【００１２】
本発明に係る方法の有利な実施態様では、サンプルの乾燥は、反応工程a1)として反応工程a)とb)の間で生じ、及び／または反応工程b1)として反応工程b)とc)の間で生じる。その結果、試験される生物学的サンプルの更なる均質化と濃縮が生じることが示され、それによって反応工程a1)、b1)またはd)に対応する乾燥は、風乾または真空乾燥によって生じ得る。
【００１３】
本発明に係る方法の更に有利な実施態様では、サンプルは、反応工程b)またはb1)の後の反応工程b2)として凍結される。この方法、さらに均質なタンパク質濃縮、及びより安定なタンパク質沈降が有利に達成でき、ここで生物学的サンプルは、細胞または組織サンプル、あるいはタンパク質または核酸の混合物、あるいはタンパク質及び／または炭水化物及び／または脂肪及び／または核酸からなる巨大分子の混合物であることができる。
【００１４】
本発明に係る方法の更に有利な実施態様では、溶液L1及び／またはL2は、有機溶媒及び／または臨界的pH値を有する溶液および／または臨界的イオン濃度を有する溶液及び／または塩溶液及び／または金属イオンを含む溶液である。サンプルを調製するための本発明に係る方法の実施のため、メタノール、エタノール、ブタノール、及びアセトンのような溶液が、特に有利であることが分かっている。塩溶液として特に使用できるものは、ピクリン酸、ガロタン酸、タングステン酸、モリブデン酸、トリクロロ酢酸、過塩素酸、及びスルホサリチル酸の溶解塩である。−10℃から60℃の範囲が、T1の有利な温度範囲であると分かっている。
【００１５】
本発明に係る方法の更に有利な実施態様では、反応工程d)の後の生物学的サンプルは、タンパク質及び／または核酸測定方法、及び／またはタンパク質化学的分離方法、及び／または細胞構造のin situ分析のための方法にかけられる。
【００１６】
分析のための生物学的サンプルの前述の調製方法を実施するための本発明に係る装置は、少なくとも一つの支持体に適用されるサンプル(類)を受け入れるための少なくとも一つのチェンバー，及びチェンバー内部の温度を制御し調節するための少なくとも一つの温度制御器を使用する。これは、有利な態様で、処理される生物学的サンプルを、チェンバー内部の各種の温度範囲にさらすことを確保する。
【００１７】
本発明に係る装置の有利な実施態様では、一連の及び互いに背後に整列した幾つかのチェンバーが存在する。しかしながら、互いに上方に整列したいくつかのチェンバーを有すること、または個々のチェンバー内に整列した少なくとも一つの分画を有することも可能である。いくつかのチェンバーの形成の結果として、対応する温度範囲または別の反応範囲を各チェンバーに割り当てることが有利に可能である。これは、例えば各種の温度範囲を達成するため、個々のチェンバーを冷却または過熱する必要がないため、サンプルスループットを増大する。
【００１８】
本発明に係る更に有利な実施態様では、一つまたはいくつかのサンプルスライドに幾つかの支持体が整列して存在している。これはさらに、サンプルスループットの有意な増大を導き、個々の反応工程を、本発明に係る装置によって、手動的、半自動的、または自動的に実施して制御することを可能にする。
【００１９】
本発明の更なる詳細、特徴、及び利点は、添付の図面に表され記載された実施態様から導かれる。
【実施例】
【００２０】
図１は、ハウジング22の内部に位置する第一のチェンバー12と第二のチェンバー20を有する、分析のための生物学的サンプルの調製方法を実施するための装置10の模式図を示す。生物学的サンプルが適用されている複数の支持体24を有するサンプルスライド26は、レール28、30を介して、第一のチェンバー12内に移動してその外に移動し、第二のチェンバー20内に移動してその外に移動し、サンプルスライド26の移動は、第一のモーター32によって達成される。
【００２１】
ハウジング22または第一のチェンバー12は、フタ36によって閉ざすことができることが観察できる。第一のチェンバー12は更に真空ポンプ16、及び各種のタンパク質を沈降するまたは変性する溶液L1、L2、Lnを導入するための幾つかの連絡部を備えており、連絡部は、チェンバー12、20に溶液を導入し且つ除去できるようにデザインされている。第一のチェンバー12は、移動可能な分離壁部18によって第二のチェンバー20から分離されていることが観察できる。分離壁部18の移動は、第二のモーター34を介して制御される。第二のチェンバー20の領域では、温度制御器14'が、チェンバー12、20内部の温度を制御するために整列している。任意に、対応する温度制御器14"が、第一のチェンバー12内部に整列でき、チェンバー12、20内部の温度を、−10℃から60℃の温度範囲内にセット可能であることができる。分離壁部18の前述の自動的または動力的な移動の他に、これはもちろん手動的に実施できる。
【００２２】
しかしながら、二つのチェンバー12、20の代わりに、単一のチェンバーを考慮することも可能である(示されていない)
【００２３】
以下では、ここに記載の第一の実施態様の操作原理が、図１から３によってより詳細に説明されるであろう。
【００２４】
全自動制御の装置10の場合では、第一のモーター32は、第一のチェンバー12から第二のチェンバー20に、及び第二のチェンバー20から再び第一のチェンバー12に、プログラムされた時間Z1、Z2で、スライドボックス26を移動し、数回のに亘ってこの操作を繰り返すことができる。真空ポンプ16を活動させることによって、分離壁部18の位置に依存して、チェンバー12内または両者のチェンバー12、20内のいずれかに、真空を生産することができ、真空の生産は、支持体24上またはサンプルスライド26内のいずれかで、サンプルを乾燥させるように機能する。同じことは、溶液L1、L2、Lnの吸引による供給及び除去に対しても、必要に応じて変更を加えて適用される。ここでも、分離壁部18の位置に依存して、第一のチェンバー12のみ、またはチェンバー12、20の両者のいずれかが、対応する溶液L1、L2、Lnで充填でき、且つそれらを空にできる。
【００２５】
第一の反応工程a)では、生物学的サンプルは、二次元支持体24に適用される。生物学的サンプルは通常、細胞または組織サンプル、あるいはタンパク質または核酸の混合物、あるいはタンパク質及び／または炭水化物及び／または脂肪及び／または核酸からなる巨大分子の混合物である。細胞培養物から得た細胞を、例えば3×108細胞にセットされた細胞密度でバッファーに懸濁できる。しかしながら、クライオスタット組織切片をサンプルとして使用することも可能である。細胞の数または組織切片の数の選択は目的に依存し、即ち他の方法の目的のため、生物学的サンプルはサンプル調製の完成の後に提供される。これは一般的に、タンパク質及び／または核酸測定方法、及び／またはタンパク質化学的分離方法、及び／または細胞構造のin situ分析のための方法であることができる。バッファーに溶解された細胞を、ピペットの補助の下で支持体24に均一に適用する。別法として、一つまたは幾つかの組織切片を、支持体24に配置する。サンプルスライド26のサイズに依存して、複数の支持体24を収容することが可能である。サンプルスライド26を装置10内に移動する前に、分離壁部18を引っ張ることによって外にシフトさせ、第二のチェンバー20が、その前方に整列した第一のチェンバー12から接近可能となるようにする。ついで第二のチェンバー20を、上部のチェンバーの縁のすぐ下まで、第一のタンパク質を沈降するまたは変性する溶液で充填する。ここに記載された実施態様では、第一の溶液L1は、有機溶媒、例えばメタノール、エタノール、ブタノール、またはアセトンからなる。しかしながら、溶液L1及びL2は、有機溶媒からのみなるものではなく、臨界的pH値を有する溶液、及び／または臨界的イオン濃度を有する溶液、及び／または塩溶液、及びまたは金属イオン含有溶液からなることができ、塩溶液はピクリン酸、ガロタン酸、タングステン酸、モリブデン酸、トリクロロ酢酸、過塩素酸、またはスルホサリチル酸の溶解塩を含むことが可能である。
【００２６】
次の操作工程では、分離壁部18を、開始位置、即ち第一のチェンバー12を第二のチェンバー20から分離するための最初の位置に押し戻す。次に、スライドボックス26を、装置10のレール28、30に配置し、第一のチェンバー12内に移動させる。さらに、装置10のフタ36を閉ざす。次いで更なる操作工程では、真空ポンプ16を使用して第一のチェンバー12内部に真空を生産する。この方法は、生物学的サンプルを反応工程a1)によって第一の時間で乾燥させる。この乾燥反応a1)の完成に引き続き、真空を第一のチェンバー12から除去する。最後に、第一のチェンバー12と第二のチェンバー20の間の分離壁部18を再び除去し、スライドボックス26を、第一の溶液L1で充填されている第二のチェンバー20内に下げる。この方法は、タンパク質を沈降するまたは変性する第一の溶液L1を、第一の温度T1（この場合では室温である）で、生物学的サンプル及び支持体24に適用する。有機溶媒L1との接触を通じて、サンプルのタンパク質は、水和ジャケットから抽出された水を有する。所定の時間Z1、例えば10秒後に、スライド26を再びチェンバー12に引き入れる。これにより反応工程b)が完成する、非常に短い曝露時間のため、部分的で穏やかな水抽出のみが存在し、細胞内のタンパク質の三次元構造は、まったく影響を受けないまたはわずかにしか影響を受けないのである。この方法は、タンパク質をその後の反応工程c)に均一に接近可能とする。前記反応工程c)を実施する前に、分離壁部18を再び押し戻し、二つのチェンバー10、20が再び分離されるようにする。反応工程b1)によって、真空ポンプ16の補助でサンプルをもう一度乾燥する。最後に、乾燥工程の完成、及び第一のチェンバー12からの真空の除去に引き続き、チェンバー10、20の間の分離壁部18を再び除去する。
【００２７】
次の操作工程では、チェンバー10、20の内部の温度を、温度制御器14'を使用して−20℃に下げて設定する。生物学的サンプルが、第一のチェンバー12内の有機溶媒L1の気体相に整列している間、それらは反応工程b2)によって凍結されている。液体窒素を導入することによってサンプルを凍結することも可能である。同じことは、約-130℃で液体イソペンタンの導入により、適宜修正して変更して適用される。その後、これらの液体をシステムからもう一度除去しなければならない。第二のチェンバー20では、通常ずっと低い凍結点のため、有機溶媒L1がその液体状態で存在する。これは特に、アセトンが有機溶媒として使用される場合に当てはまる。それ故、生物学的サンプルを有するスライドボックス26は、第二のチェンバー20内に下げられ、反応工程c)によって、タンパク質を沈降するまたは変性する第一の溶液L1が、第二の温度T2で生物学的サンプル及び支持体に更に適用される。ここでサンプルは、所定の時間Z2の間(記載された実施態様では、約10分であることができる)、第二のチェンバー20に維持される。低温T2での第一の溶液L1の更なる適用のため、細胞タンパク質の水ジャケットは、穏やかな態様でin situで抽出され、それは、準備された反応工程b)のため、均質で完全であり、処理された生物学的サンプルのタンパク質及びタンパク質複合体の三次元構造はほぼ維持されている。
【００２８】
その後、スライドボックス26を、第一のチェンバー12内に再び移動させ、分離壁部をチェンバー12、20の間に再び戻し、固定して配置する。最後の反応工程d)では、十分に調製されたサンプルを乾燥する。これは再び真空ポンプ16の補助で実施される。しかしながら、サンプルの乾燥は風乾によって生じることもできる。
【００２９】
さらに、装置10の実施態様は、唯一の溶液L1が使用可能であるだけでなく、複数の各種の溶液L2を、連続的または同時的に吸引により重点及び除去することが可能である。
【００３０】
しかしながら、装置10に対して分離壁部18を無しで済ますことも可能である。この場合、装置10は、一つのチェンバー12のみ(示されていない)と温度制御器14'からなり、チェンバー12の上半分では、溶液L1、L2からLnの気体相が、吸引により充填され除去されると考慮され、下半分では、前記溶液の液体相が、吸引により充填され除去されると考慮される。全体の反応は、所定の時間手動的に制御される。このバージョンの装置10に対しては、真空ポンプとモーター32、34を無しで済ますことも可能である。
【００３１】
さらに、図１から３に示された装置10のチェンバー12、20の高さを変えることによって、支持体24の数に関して可変的な運搬能力を有する各種のスライドボックス26を使用することが可能である。これは、並行的に加工可能なサンプルの数を増大する。この方法では、例えば、装置10あたり10から50の間のサンプルを、同時に加工することが可能である。装置10を並行的に操作することによって、いずれかの数に加工されるサンプルの数を増大することも可能である。このため、個々の真空ポンプ16を、対応する連結器を使用して、複数の装置10に結合可能である。
【００３２】
図４は、第二の実施態様による、分析のための生物学的サンプルの調製方法を実施するための装置の模式図を示す。幾つかのチェンバー1、2、3...、nが、連続して互いの背後に整列し、個々のチェンバー1、2、3...、nが対応するフタD1、D2、D3...、Dnで閉ざすことが可能であることが観察される。
【００３３】
以下では、ここに示される第二の実施態様が、その操作原理に関してより詳細に記載されるであろう。そこに含まれるサンプル、またはサンプル含有支持体を有するスライドボックスAをレールB内に挿入し、チェンバー1の上方に配置する。その後、スライドボックスAをチェンバー1内に下げ、チェンバーのフタD1を、ガイドレールCによってチェンバー1に押し出す。次に、チェンバー1内に真空を作製する。真空管相工程の完成と、チェンバー1の空気充填に引き続き、フタD1を開始位置に戻す。次いでスライドボックスAをチェンバー1の外部に運び、ガイドレールBに戻すことができる。スライドボックスAがチェンバー2の上方に移動された際に、それをチェンバー2に下げる。フタD2で再びチェンバー2を閉ざす。チェンバー2の内部に、タンパク質を沈降するまたは変性する第一の溶液L1を、反応工程b)に従って適用する。チェンバー2からサンプルスライドAを除去し、対応してサンプルスライドAをチェンバー3内に下げた後に、反応工程b1)によってチェンバー3においてサンプルを乾燥する。チェンバー4は、反応工程c)、即ち第一の温度T1より低い第二の温度T2(この場合ではチェンバー2の内部を満たす)で、タンパク質を沈降するまたは変性する溶液の別の適用を実施するように機能する。示された装置では、チェンバー5は、反応工程d)による更なるサンプルの乾燥のための真空チェンバーとして機能する。全ての他のチェンバーは、更なるサンプル処理のために使用できる。例えばチェンバー6では、バッファーまたは第二の溶液L2を、サンプルに適用できる。同じことは、更なるバッファー溶液または更なるタンパク質を沈降するまたは変性する溶液で、チェンバー7から9に適宜変更を施して適用される。更に、円形でサンプルの適用のためにデザインされたチェンバーが存在しても良い。更にチェンバーは、「細胞／組織サンプル」と称されるものを含むことができ、それは試験ガラスまたは遠心チューブにおける支持体から処理されたサンプルを受け取る。
【００３４】
図１から３に示された装置10と同様の操作工程を、第二の実施態様による直線状装置によって実施できることが理解できる。しかしながら、個々の反応は、各反応に特異的な別個のチェンバー1、2、3...、nで実施される。
【００３５】
示されていない別の実施態様では、装置の個々のチェンバーを、カルーセルと称されるものの内部に円形に整列することもできる。
【図面の簡単な説明】
【００３６】
【図１】図１は、第一の実施態様による分析のための生物学的サンプルの調製方法を実施するための、本発明に係る装置の模式図である。
【図２】図２は、図１による装置の模式図であり、サンプルスライドが第一のチェンバーに移動している。
【図３】図３は、図１により装置の模式図であり、サンプルスライドが第二のチェンバーの内部に存在している。
【図４】図４は、第二の実施態様による分析のための生物学的サンプルの調製方法を実施するための、本発明に係る装置の模式図である。
【図５】図５は、図４による装置の操作原理の模式図である。
【符号の説明】
【００３７】
10：装置
12：第一のチェンバー
14：温度制御器
16：真空ポンプ
18：分離壁部
20：第二のチェンバー
22：ハウジング
24：支持体
26：サンプルスライド
28：レール
30：レール
32：第一のモーター
34：第二のモーター
36：フタ
【図１】
2005515471.tif 000003
【図２】
2005515471.tif 000004
【図３】
2005515471.tif 000005
【図４】
2005515471.tif 000006
【図５】
2005515471.tif 000007
【国際調査報告】
2005515471.tif 000008
2005515471.tif 000009
2005515471.tif 000010
2005515471.tif 000011